(57)【要約】    【課題】  コピー機などによる複製を抑止することのできるデータ処理装置を提供する。    【手段】  入力部２から入力された利用者ＩＤは、ＩＤ入力手段４を介して、データ処理許可手段８に与えられる。また、入力部２から入力されたデータ群に対する処理指令は、指令入力手段６を介して、データ処理許可手段８に与えられる。データ処理許可手段８は、ＩＤ入力手段４から与えられた利用者ＩＤが、正当なものであれば、指令入力手段６から与えられた処理指令の実行を許可する。正当なものでなければ、処理指令の実行を禁止する。印刷手段１２は、印刷処理指令を受けて、印刷対象として指定されたデータ群を印刷するように、印刷部１４に命令する。この際、印刷手段１２は、ＩＤ入力手段からの利用者ＩＤを前記データ群を印刷する際のデータの区切り線として用いるように、印刷部１４に命令する。【選択図】  図１
2008146139.tif 000002
【特許請求の範囲】
【請求項１】
データ群を記録したデータ記録部と、
利用者ＩＤを入力するためのＩＤ入力手段と、
データ記録部に記録されたデータ群に対する処理指令を入力するための指令入力手段と、
ＩＤ入力手段から入力された利用者ＩＤに基づく利用者が正当なものでなければ、前記データ群に対する処理を許可しないデータ処理許可手段と、
データ処理許可手段によってデータ処理が許可された後、指令入力手段から前記データ群の印刷指令が入力されると、前記ＩＤ入力手段から入力された利用者ＩＤを前記データ群を印刷する際のデータの区切り線として、データ群の印刷を印刷部に行わせる印刷手段と、
を備えたデータ処理装置。
【請求項２】
コンピュータによってデータ処理装置を実現するためのデータ処理プログラムであって、コンピュータを下記の手段として機能させることを特徴とするデータ処理プログラム：
利用者ＩＤを入力するためのＩＤ入力手段と、
データ記録部に記録されたデータ群に対する処理指令を入力するための指令入力手段と、
ＩＤ入力手段から入力された利用者ＩＤに基づく利用者が正当なものでなければ、データ群に対する処理を許可しないデータ処理許可手段と、
データ処理許可手段によってデータ処理が許可された後、指令入力手段から前記データ群の印刷指令が入力されると、前記ＩＤ入力手段から入力された利用者ＩＤを前記データ群を印刷する際のデータの区切り線として、データ群の印刷を印刷部に行わせる印刷手段。
【請求項３】
請求項２のデータ処理プログラムと、
処理対象となるデータ群と、
を記録したデータベース記録媒体。
【請求項４】
請求項１〜３のいずれかの装置、プログラムまたは記録媒体において、
前記データの区切り線は、利用者ＩＤをデータ群よりも小さく、繰り返し印刷するものであることを特徴とする装置、プログラムまたは記録媒体。
【請求項５】
請求項１〜３のいずれかの装置、プログラムまたは記録媒体において、
前記データの区切り線は、利用者ＩＤを符号化した線を、繰り返し印刷するものであることを特徴とする装置、プログラムまたは記録媒体。
【請求項６】
請求項１〜５のいずれかの装置、プログラムまたは記録媒体において、
前記データ記録部は、識別符号が記録された可搬性記録媒体であり、
前記データ処理装置は、パスワードを入力するためのパスワード入力手段をさらに備えており、
前記データ処理許可手段は、可搬性記録媒体に記録された識別符号と前記利用者ＩＤに基づいて演算されるパスワードが、パスワード入力手段から入力されたパスワードと合致する場合に、利用者が正当であると判断することを特徴とする装置、プログラムまたは記録媒体。
【請求項７】
請求項１〜５のいずれかの装置、プログラムまたは記録媒体において、
前記データ記録部は、識別符号が記録された可搬性記録媒体であり、
前記データ処理装置は、パスワードを入力するためのパスワード入力手段をさらに備えており、
前記データ処理許可手段は、ＩＤ入力手段から入力された利用者ＩＤおよび可搬性記録媒体の識別符号をサーバ装置に送信し、サーバ装置が、可搬性記録媒体に記録された識別符号と前記利用者ＩＤに基づいて演算されるパスワードが、パスワード入力手段から入力されたパスワードと合致するか否かを判断した結果の返信を受けて、利用者が正当なものでなければ、前記データ群に対する処理を許可しないことを特徴とする装置、プログラムまたは記録媒体。
【発明の詳細な説明】
【発明の分野】
【０００１】
この発明は、データ流出に対する対策を施したデータ処理装置に関するものである。
【背景技術】
【０００２】
近年、各種会員名簿は印刷物としてではなく、ＣＤ−ＲＯＭなどの記録媒体にデータとして記録して配布されることが増えている。輸送代などを考慮すると、好ましい方法であるといえる。
【０００３】
しかし、電子的に記録されたデータは複製が容易であり、本来会員間でのみ使用されるべきデータが、容易に外部に広がってしまうという問題があった。これを解決するため、データを暗号化し、専用のアプリケーションがないと復号化できないようにする等の対策が講じられている。これにより、データ複製による会員情報の拡散を防止することができる。
【０００４】
しかし、このようなデータ複製に対する対策は、正当な権限のある会員がプリントアウトした名簿をコピーして外部に配布するような場合には無力である。したがって、データ複製に対する対策を施した上で、プリントアウトによる複製に対する対策を講じる必要がある。そこで、たとえば、特許文献１には、コピー機自体に複製対象が名簿類であるか否かの判断機能を付け、名簿類であると判断すると、複製を実行しないようにしたコピー機が開示されている。
【０００５】
【特許文献１】特開２００６−２６１９０７
【発明の開示】
【発明が解決しようとする課題】
【０００６】
しかしながら、特許文献１の方法による場合には、当該専用のコピー機による複製は禁じられるものの、通常のコピー機による複製は何ら制約を受けない。したがって、当該専用コピー機だけを揃えた企業内での違法な複製は防止できるが、それ以外の場合における複製に対しては、抑止力になりえないという問題があった。
【０００７】
この発明は上記のような問題点を解決して、コピー機などによる複製を抑止することのできるデータ処理装置を提供することを目的とする。
【課題を解決するための手段】
【０００８】
(1)この発明に係るデータ処理装置は、データ群を記録したデータ記録部と、利用者ＩＤを入力するためのＩＤ入力手段と、データ記録部に記録されたデータ群に対する処理指令を入力するための指令入力手段と、ＩＤ入力手段から入力された利用者ＩＤに基づく利用者が正当なものでなければ、前記データ群に対する処理を許可しないデータ処理許可手段と、データ処理許可手段によってデータ処理が許可された後、指令入力手段から前記データ群の印刷指令が入力されると、前記ＩＤ入力手段から入力された利用者ＩＤを前記データ群を印刷する際のデータの区切り線として、データ群の印刷を印刷部に行わせる印刷手段とを備えている。
【０００９】
したがって、印刷されたデータが不正に複製されたとしても、流出元の利用者の特定が容易である。
【００１０】
(4)この発明に係るデータ処理装置は、データの区切り線は、利用者ＩＤをデータ群よりも小さく、繰り返し印刷するものであることを特徴としている。
【００１１】
したがって、印刷物の美観を損なうことなく、流出元である利用者を特定することが可能となる。
【００１２】
(5)この発明に係るデータ処理装置は、データの区切り線は、利用者ＩＤを符号化した線を、繰り返し印刷するものであることを特徴としている。
【００１３】
したがって、複製が繰り返されても、利用者ＩＤの特定が損なわれにくい。
【００１４】
(6)この発明に係るデータ処理装置は、データ記録部は、識別符号が記録された可搬性記録媒体であり、データ処理装置は、パスワードを入力するためのパスワード入力手段をさらに備えており、データ処理許可手段は、可搬性記録媒体に記録された識別符号と前記利用者ＩＤに基づいて演算されるパスワードが、パスワード入力手段から入力されたパスワードと合致する場合に、利用者が正当であると判断することを特徴としている。
【００１５】
したがって、区切り線として用いるための利用者ＩＤをパスワードと組み合わせて正当性判断に用いているので、セキュリティが向上する。
【００１６】
(7)この発明に係るデータ処理装置は、データ記録部は、識別符号が記録された可搬性記録媒体であり、データ処理装置は、パスワードを入力するためのパスワード入力手段をさらに備えており、データ処理許可手段は、ＩＤ入力手段から入力された利用者ＩＤおよび可搬性記録媒体の識別符号をサーバ装置に送信し、サーバ装置が、可搬性記録媒体に記録された識別符号と前記利用者ＩＤに基づいて演算されるパスワードが、パスワード入力手段から入力されたパスワードと合致するか否かを判断した結果の返信を受けて、利用者が正当なものでなければ、前記データ群に対する処理を許可しないことを特徴としている。
【００１７】
したがって、区切り線として用いるための利用者ＩＤをパスワードと組み合わせて正当性判断に用いているので、セキュリティが向上する。さらに、サーバ装置側でパスワード演算を行っているので、より高いセキュリティが実現できる。
【００１８】
この発明において、「利用者ＩＤ」とは、利用者を特定するための識別子をいい、数字、文字、記号またはこれらの組み合わせを用いることができる。
【００１９】
「ＩＤ入力手段」は、実施形態においては、図３ｂのステップＳ１１がこれに対応する。
【００２０】
「指令入力手段」は、図４ｂの検索開始ボタン５２、終了ボタン５４、印刷ボタン５８などがこれに対応する。
【００２１】
「データ処理許可手段」は、図３ｂのステップＳ１４がこれに対応する。
【００２２】
「印刷手段」は、図３ｂのステップＳ１９がこれに対応する。
【００２３】
「プログラム」とは、ＣＰＵにより直接実行可能なプログラムだけでなく、ソース形式のプログラム、圧縮処理がされたプログラム、暗号化されたプログラム等を含む概念である。
【発明を実施するための形態】
【００２４】
１．全体構成
図１に、この発明の一実施形態によるデータ処理装置の機能ブロック図を示す。データ記録部１０には、処理対象となるデータ群が記録されている。入力部２から入力された利用者ＩＤは、ＩＤ入力手段４を介して、データ処理許可手段８に与えられる。また、入力部２から入力されたデータ群に対する処理指令は、指令入力手段６を介して、データ処理許可手段８に与えられる。
【００２５】
データ処理許可手段８は、ＩＤ入力手段４から与えられた利用者ＩＤが、正当なものであれば、指令入力手段６から与えられた処理指令の実行を許可する。正当なものでなければ、処理指令の実行を禁止する。
【００２６】
印刷手段１２は、印刷処理指令を受けて、印刷対象として指定されたデータ群を印刷するように、印刷部１４に命令する。この際、印刷手段１２は、ＩＤ入力手段からの利用者ＩＤを前記データ群を印刷する際のデータの区切り線として用いるように、印刷部１４に命令する。これを受けた印刷部１４は、当該区切り線を用いつつ対象となるデータ群の印刷を行う。
【００２７】
このように、利用者ＩＤの入力がないと使用できないようにするとともに、印刷されたデータ群の区切り線として利用者ＩＤが印刷されるようにしているので、印刷されたデータ群がどの利用者によって印刷されたものであるかが明確となる。したがって、正当な権限を有する利用者が、印刷したデータ群を外部に流出させることを抑止することができる。また、そのような悪意のない利用者に対しても、印刷したデータ群の管理を慎重にするように促す効果がある。
【００２８】
２．ハードウエア構成
図２に、データ処理装置のハードウエア構成を示す。データ処理装置は、ＣＰＵ２０、ディスプレイ２２、プリンタ（印刷部）２４、マウス／キーボード（入力部）２５、メモリ２６、ＣＤ−ＲＯＭドライブ２８、ハードディスク３０を備えている。なお、図示しないが、インターネット接続のための通信回路を有していてもよい。
【００２９】
ハードディスク３０には、オペレーティングシステム（WINDOWS XP（商標）など）３４、データ処理プログラム３６、暗号化フォントデータ３８が記録されている。データ処理プログラム３６、暗号化フォント３８は、ＣＤ−ＲＯＭ３２に記録されていたものを、ハードディスク３０にインストールしたものである。このデータ処理プログラム３６は、オペレーティングシステム３４と協働して、機能を発揮する。
【００３０】
ＣＤ−ＲＯＭ３２には、前記のデータ処理プログラム、暗号化フォントデータに加えて、図６に示すような名簿データ（データ群）が記録されている。データ処理プログラム、暗号化フォントは、前述のように、ハードディスク３０にインストールしたものを用いるが、名簿データは、ＣＤ−ＲＯＭ３２に記録されているものを直接用いる。なお、以下では、在学生・卒業生の名簿データを例として説明する。
【００３１】
この実施形態では、名簿データ自体のコピーを防止するため、名簿データのテキストデータは、暗号化された暗号化フォントデータ３８を用いている。ここで、暗号化フォントデータ３８は、文字コードと文字フォントとの対応を、規格とは異なるようにしたものである。たとえば、対応関係をランダムに変更したり、所定の規則（正しい文字コードに所定数を加える）に従って変更したようなものである。
【００３２】
このような暗号化フォントデータを用いることにより、名簿データが複製されたとしても、暗号化フォントデータが複製されない限り、正しい内容を見ることができないようにしている。なお、ＣＤ−ＲＯＭ３２に記録されている暗号化フォントデータは、隠しファイルとし、通常の操作ではファイルの存在が見いだせないようにしている。
【００３３】
このＣＤ−ＲＯＭ３２を配布する際には、ＣＤ−ＲＯＭ３２の購入者が購入権限を有するか否か、つまり、在学生であるか、卒業生であるかを確認する。確認できた者に対してのみ、ユーザ名（利用者ＩＤ）およびパスワードを発行する。この確認作業は、郵送などによって行うことができる。
【００３４】
なお、上記において利用者に与えられるパスワードは、たとえば、以下のようにして生成される。ＣＤ−ＲＯＭ３２には、シリアルナンバー（識別符号）が記録されている。このシリアルナンバーは、ＣＤ−ＲＯＭ３２をプレスした時に、当該プレスのロット毎に付されるものである。したがって、同じプレスロットであれば、ＣＤ−ＲＯＭ３２のシリアルナンバーは同じとなる。
【００３５】
パスワードは、このシリアルナンバーとユーザ名（利用者ＩＤ）を所定の演算式（アルゴリズム）によって演算して得られる文字列として決定する。シリアルナンバーとユーザ名により、一義的に決定されるようなパスワードを用いることが好ましいが、それほど厳密でなくとも、実質的なセキュリティは保たれる。
【００３６】
また、学校が用意しているウエブサイト内に特別のぺージを設け、ＣＤ−ＲＯＭ３２を購入した者がこの特別のページにアクセスして、パスワードを取得するようにしてもよい。この際の、学校のウエブサイトサーバの処理を図１０に示す。
【００３７】
利用者パソコン（上記のデータ処理装置と兼用できる）からサーバ装置に接続すると、サーバ装置は、学生ＩＤおよびウエブ用パスワードの入力を求める。利用者が、学生ＩＤとウエブ用パスワードを入力して送信すると（ステップＳ３１）、サーバ装置は、学生ＩＤとウエブ用パスワードが正当なものであるか否かを判断する(ステップＳ４１）。学生ＩＤおよびウエブ用パスワードが登録されていなければ、正当な学生でないとして、アクセスを拒否する（ステップＳ４２）。正当な学生であれば、トップページを送信する（ステップＳ４３）。
【００３８】
利用者パソコンはこれを受けて、トップページをディスプレイに表示する。利用者が、画面に表示されたパスワード発行要求ボタンをクリックすると、利用者パソコンは、ＣＤ−ＲＯＭドライブ２８に、ＣＤ−ＲＯＭ３２を挿入することを促す。そして、ＣＤ−ＲＯＭ３２に記録されたシリアルナンバーおよび学生ＩＤ(利用者ＩＤとして用いられる）を伴ったパスワード発行要求が、サーバ装置に送信される（ステップＳ３２）。
【００３９】
サーバ装置は、シリアルナンバーと学生ＩＤを所定の演算式（アルゴリズム）によって演算して、パスワードを生成する（ステップＳ４４）。そして、これを利用者パソコンに送信する。利用者パソコンでは、受け取ったパスワードをディスプレイに表示する（ステップＳ３３）。利用者は、このパスワードを紙などに控える。
【００４０】
３．インストーラ及びデータ処理プログラムの処理
データ処理プログラム３６をハードディスク３０にインストールするためプログラムのフローチャートを図３ａに示す。
【００４１】
ＣＰＵ２０は、利用者にユーザ名および前記付与したパスワードの入力を促す。利用者は、マウス／キーボード２５により、ユーザ名およびパスワードを入力する（ステップＳ１）。ＣＰＵ２０は、インストールのためにＣＤ−ＲＯＭドライブ２８に挿入されているＣＤ−ＲＯＭ３２のシリアルナンバーを読み出す（ステップＳ２）。次にＣＰＵ２０は、利用者が入力したユーザ名とシリアルナンバーに基づいて、前記所定の演算式（パスワード発行の際に用いた演算式）により、パスワードを算出する（ステップＳ３）。
【００４２】
続いて、ＣＰＵ２０は、このようにして算出したパスワードと、利用者が入力したパスワードが合致するか否かを判断する（ステップＳ４）。合致すれば、正しい利用者であると判断して、インストール処理を行う（ステップＳ５）。合致しなければ、インストール処理を行わずに終了する。
【００４３】
上記のように、正規の利用者でなければ、データ処理プログラムのインストールができないようになっている。また、ＣＤ−ＲＯＭ３２から複製して作成したＣＤ−ＲＯＭを用いてインストールしようとしても、ＣＤ−ＲＯＭのシリアルナンバーが異なるので、ステップＳ３において算出されるパスワードが異なることとなり、インストールできないようになっている。
【００４４】
図３ｂに、ハードディスク３０にインストールされたデータ処理プログラム３６のフローチャートを示す。データ処理プログラム３６を起動すると、ＣＰＵ２０は、ディスプレイ２２に、図４ａに示すようなログオン画面を表示する。利用者は、マウス／キーボード２５を用いて、ユーザ名（利用者ＩＤ）およびパスワードを入力する（ステップＳ１１）。ＣＰＵ２０は、入力されたユーザ名をメモリ２６に記憶する。さらに、ＣＰＵ２０は、インストール時と同じようにして、正規の利用者であるか否かを確認する（ステップＳ１２〜Ｓ１４）。
【００４５】
正規の利用者でないと判断すると、ＣＰＵ２０はプログラムを終了する。正規の利用者であれば、ＣＰＵ２０は、図４ｂに示すような主画面を、ディスプレイ２２に表示する（ステップＳ１５）。主画面上部には、名簿データ検索のための入力ボックス５０が設けられている。検索開始ボタン５２は、入力ボックス５０にて指定した検索条件に従って、名簿データ検索を開始させるための指令ボタンである。終了ボタン５２は、このデータ処理プログラム３６を終了するためのボタンである。表示ボックス５６には、検索結果が表示される。印刷ボタン５８は、表示ボックス５６に表示されたデータを、プリンタ２４にて印刷することを指示するためのボタンである。
【００４６】
ＣＰＵ２０は、利用者がいずれの操作をしたかを判断し（ステップＳ１６）、それぞれの操作に対応する処理を実行する。
【００４７】
マウス／キーボード２５によって入力ボックス５０に検索条件が入力された場合には、ＣＰＵ２０は、入力された検索条件をメモリ２６に記憶するとともに、ディスプレイ２２の入力ボックス５０に表示する（ステップＳ１７）。
【００４８】
検索開始ボタン５２が押されると、ＣＰＵ２０は、入力ボックス５０にて指定された検索条件に従って、ＣＤ−ＲＯＭ３２に記録されている名簿データ（図６参照）の検索を実行する（ステップＳ１８）。そして、検索結果を、メモリ２６に保持するとともに表示ボックス５６に表示する。
【００４９】
図５に、「山田」の姓を検索条件として入力し、検索を実行した場合の画面表示を示す。表示ボックス５６には、山田の姓を有する人が選択されて表示されている。
【００５０】
ここで、利用者がマウス／キーボード２５によって、印刷ボタン５８を押すと、ＣＰＵ２０は、メモリ２６に記憶した検索結果をプリンタ２４に与え、印刷を実行させる(ステップＳ１９）。この際に、ＣＰＵ２０は、メモリ２６に記憶しているユーザ名を読み出し、これを罫線として利用して印刷データを生成する。
【００５１】
したがって、プリントアウトされたものは、図７に示すようなものとなる。図８の拡大図に示すように、罫線がユーザ名の連続によって構成されている。本来必要な線である罫線部分に、ユーザ名が小さく印字されているので、出力帳票の美観を著しく損なうことがない。また、不正複製が問題となった場合には、複製されたものを入手し、ユーザ名を確認することで流出元の利用者を特定し対策を講じることができる。
【００５２】
なお、図７のように文字を直接罫線として用いると、複製を繰り返しているうちに、ユーザ名がつぶれて見えなくなるおそれがある。そこで、図９に示すように、長短のラインによってユーザ名を符号化し（たとえば、長いラインを「１」、短いラインを「０」として文字コードにて符号化する）、これを罫線として用いるようにしてもよい。このようにすれば、複製が繰り返されたとしても、ユーザ名の確認が困難になるおそれが少ない。
【００５３】
また、この実施形態では、前述のように文字コードと文字フォントとの対応関係がランダム化された特殊フォントデータを用いている。したがって、いわゆるＰＤＦ（アドビ社商標）ファイルを作成し、当該ＰＤＦファイルを画面に表示してテキスト選択ツールを用いてテキストデータを取得したとしても、当該特殊フォントデータがない限り、正しい状態で閲覧することはできない。
【００５４】
４．その他の実施形態
上記実施形態では、図３ａ、図３ｂのステップＳ１〜Ｓ４、Ｓ１１〜Ｓ１４において、利用者のパソコンにおいて認証を行うようにしている。しかし、ユーザ名、パスワード、ＣＤ−ＲＯＭ３２のシリアルナンバーを、インターネット回線を介してサーバ装置に送信し、サーバ装置にてステップＳ２〜Ｓ４（Ｓ１２〜Ｓ１４）を実行するようにしてもよい。この場合、サーバ装置は、正規の利用者であるか否かの判断結果を利用者のパソコンに返信する。利用者のパソコンはこれを受けて、正規の利用者であるとの判定結果を受ければ処理を続行し、そうでなければ処理を中止する。このようにすれば、ユーザ名とＣＤ−ＲＯＭ３２のシリアルナンバーに基づくパスワードの演算式（演算アルゴリズム）を、利用者のパソコンに記録する必要がなく、よりセキュリティが高まる。
【００５５】
また、このようにサーバ装置にアクセスして利用を許可する方法をとれば、不正流出元のユーザ名がわかった場合、これをサーバ装置に登録しておいて、アクセスがあったときに利用を拒否するようにすることができる。
【００５６】
上記実施形態では、ユーザＩＤを文字として、あるいは線による符号とし、罫線に用いている。しかし、線以外の形態で符号化して罫線としてもよい。たとえば、図１１に示すように、２次元的な模様として符号化することもできる。その他、バーコードによる符号化、色彩による符号化などをすることもできる。
【００５７】
上記実施形態では、ユーザ名を横線の罫線としてプリントアウトするようにしている。しかし、縦線の罫線としてプリントアウトするようにしてもよい。さらに、罫線だけでなく、データとデータと区切る線としてプリントアウトすることができる。
【００５８】
ＣＤ−ＲＯＭのプレスロット数を小さく（つまり、シリアルナンバーが同一であるＣＤ−ＲＯＭの数を少なく）し、シリアルナンバーが異なる毎に異なる対応関係を持つ特殊フォントを用いるようにすれば、秘匿性はさらに高くなる。
【００５９】
また、図１０のようにしてサーバ装置からパスワードを発行する場合には、利用者パソコンは、ステップＳ３３において受信したパスワードをハードディスク３０の特定のエリア（レジストリなど）に記録するようにしてもよい。そして、図４ａの画面においてユーザ名だけを入力させ、パスワードについては、ハードディスクに記録したパスワードを読み出して使用するようにしてもよい。このようにすれば、パスワードの秘匿性が高くなる。
【００６０】
なお、上記実施形態においては、学生の名簿データとして利用した場合を説明した。しかし、サークル、諸団体等他の名簿データ、その他セキュリティが要求されるデータとしても利用することができる。
【００６１】
上記実施形態では、利用者側において名簿データを印刷する場合について説明した。しかし、名簿を各利用者に配布する際に、各利用者毎に、利用者のユーザＩＤを罫線として名簿を印刷し、これを配布するようにしてもよい。この際、罫線として利用するユーザＩＤを、差込データとすれば、多くの名簿を印刷する場合に処理が容易である。
【図面の簡単な説明】
【００６２】
【図１】この発明の一実施形態によるデータ処理装置の機能ブロック図である。
【図２】データ処理装置のハードウエア構成を示す図である。
【図３ａ】インストールプログラムのフローチャートである。
【図３ｂ】データ処理プログラムのフローチャートである。
【図４ａ】ログオン画面を示す図である。
【図４ｂ】主画面を示す図である。
【図５】主画面を示す図である。
【図６】ＣＤ−ＲＯＭ３２に記録されたデータの例を示す図である。
【図７】プリントアウトされたデータを示す図である。
【図８】図７の部分拡大図である。
【図９】プリントアウトされたデータを示す図である。
【図１０】パスワード発行処理を示すフローチャートである。
【図１１】二次元的な模様として符号化した例を示す図である。
【符号の説明】
【００６３】
２・・・入力部
４・・・ＩＤ入力手段
６・・・指令入力手段
８・・・データ処理許可手段
１０・・・データ記録部
１２・・・印刷手段
１４・・・印刷部
【図１】
2008146139.tif 000003
【図２】
2008146139.tif 000004
【図３ａ】
2008146139.tif 000005
【図３ｂ】
2008146139.tif 000006
【図４ａ】
2008146139.tif 000007
【図４ｂ】
2008146139.tif 000008
【図５】
2008146139.tif 000009
【図６】
2008146139.tif 000010
【図７】
2008146139.tif 000011
【図８】
2008146139.tif 000012
【図９】
2008146139.tif 000013
【図１０】
2008146139.tif 000014
【図１１】
2008146139.tif 000015